(57)【要約】      （修正有）【課題】本体部の蓋体の島部に設けた静電気除去部により光ディスクの静電気を発光によって除去し、パソコンの動作を正常に保つことができるようにする。【解決手段】デジタル機器用静電気防止機能付き多機能ケースは、光ディスクを着脱自在な本体部(1)と、本体部(1)に開閉自在に設けられた蓋体(4)と、前記蓋体(4)に設けられた透明樹脂部(10)と、透明樹脂部(10)の中央位置に設けられた島部(11)と、島部(11)に設けられた静電気除去部(14)と、を備え、静電気除去部(14)を発光させることにより光ディスクの静電気を除去する構成である。【選択図】図１
0003137924.tif 000002
【実用新案登録請求の範囲】
【請求項１】
樹脂からなる光ディスク(6)を着脱自在に保持するための本体部(1)と、前記本体部(1)に蝶番(2)及び係止部(3)を介して開閉自在に設けられた蓋体(4)と、前記蓋体(4)に設けられた透明樹脂部(10)と、前記透明樹脂部(10)の中央位置に設けられた島部(11)と、前記島部(11)に設けられた静電気除去部(14)と、を備え、
前記本体部(1)上に設けられた前記光ディスク(6)に帯電した静電気を前記静電気除去部(14)によって除去することを特徴とするデジタル機器用静電気防止機能付き多機能ケース。
【請求項２】
前記静電気除去部(14)は、ネオン管(14A)よりなり、前記ネオン管(14A)の電極(14a)が前記光ディスク(6)に対して直接又は間接に接触していると共に、前記ネオン管(14A)は前記島部(11)の外部から見えることを特徴とする請求項１記載のデジタル機器用静電気防止機能付き多機能ケース。
【請求項３】
前記静電気除去部(14)は、ＬＥＤ(14B)及び検出回路よりなり、前記検出回路が前記光ディスク(6)の静電気を検出し、前記光ディスク(6)の静電気に基づいて前記検出回路が前記ＬＥＤ(14B)を発光させることを特徴とする請求項１記載のデジタル機器用静電気防止機能付き多機能ケース。
【請求項４】
前記本体部(1)には、本体凹部(20)が形成され、前記本体凹部(20)にはＳＤカード（メモリカード）(30)が設けられることを特徴とする請求項１ないし３の何れかに記載のデジタル機器用静電気防止機能付き多機能ケース。
【請求項５】
前記蓋体(4)に形成された貫通孔(13)上に前記島部(11)を形成するキャップ体(11a)が設けられ、前記キャップ体(11a)の内側に前記静電気除去部(14)が設けられていることを特徴とする請求項１ないし４の何れかに記載のデジタル機器用静電気防止機能付き多機能ケース。
【請求項６】
前記ネオン管(14A)は、前記貫通孔(13)を跨ぐ状態で前記貫通孔(13)上に配設されていることを特徴とする請求項５記載のデジタル機器用静電気防止機能付き多機能ケース。
【考案の詳細な説明】
【技術分野】
【０００１】
本考案は、デジタル機器用静電気防止機能付き多機能ケースに関し、特に、収納された光ディスク又はＳＤカード（メモリカード）等の樹脂で形成された記憶媒体に帯電する静電気を除去する静電気除去部を設けるための新規な改良に関する。
【背景技術】
【０００２】
一般に、従来、用いられていたこの種のデジタル機器用光ディスクケースとしては、社内製作として現在販売され、用いられているが、特に、特許出願等を行っていないため、特許文献等を開示していない。その構成としては図示していないが、光ディスクを保持する本体部に対して、蓋体を開閉自在に設け、光ディスクを収納して搬送する状態であった。
【考案の開示】
【考案が解決しようとする課題】
【０００３】
一般に、パソコンを筆頭に、現代一般の生活のなかで、使用されている電気製品は総称としてデジタル機器と言われているが、これらパソコンを含むデジタル機器は、全てと言って良いほど、本体の中にはＩＣ部品と基板の組み合わせが内蔵されている。
ＩＣ部品と基板からなる部品は、殆どがある許容範囲の電圧・電流には耐えられる設計にはなっているが、外部からの原因で瞬時に異常電圧等が流れた場合には、故障の原因になることがある。また、外部要因の一つは、落雷により進入するサージ電源であり、もう一つは導電体（ＤＶＤ／ＣＤディスク・ＳＤカード等のメモリカード）を介して発生する静電気である。前者の対策についてはコンセントに雷対策をすることで防げるが、後者については、パソコンに関して言えば、静電対策手袋等の静電対策製品を使用して、パソコンに接触するようにと取扱説明書には明記されているだけで、現況はパソコン内のデータの保護のためマニュアルに静電気の危険性を訴えているだけです。
殆どの場合、使用者は全く静電気を意識することなく、パソコンに光ディスクをセットし、メモリカードを交換して挿入している。そのため、いつ静電気によりパソコンが不具合を起こしても不思議はない状態である。
特に、ＤＶＤ／ＣＤディスクの主な材質であるポリカーバネイトとメモリカードの主な材質はＡＢＳ樹脂であり、これらは共に非常に静電気が帯電しやすい特長を有しているため、静電気発生防止の対策が切望されていた。
【課題を解決するための手段】
【０００４】
本考案によるデジタル機器用静電気防止機能付き多機能ケースは、樹脂からなる光ディスクを着脱自在に保持するための本体部と、前記本体部に蝶番及び係止部を介して開閉自在に設けられた蓋体と、前記蓋体に設けられた透明樹脂部と、前記透明樹脂部の中央位置に設けられた島部と、前記島部に設けられた静電気除去部と、を備え、前記本体部上に設けられた前記光ディスクに帯電した静電気を前記静電気除去部によって除去する構成であり、また、前記静電気除去部は、ネオン管よりなり、前記ネオン管の電極が前記光ディスクに対して直接又は間接に接触していると共に、前記ネオン管は前記島部の外部から見える構成であり、また、前記静電気除去部は、ＬＥＤ及び検出回路よりなり、前記検出回路が前記光ディスクの静電気を検出し、前記光ディスクの静電気に基づいて前記検出回路が前記ＬＥＤを発光させる構成であり、また、前記本体部には、本体凹部が形成され、前記本体凹部にはＳＤカード（メモリカード）が設けられる構成であり、また、前記蓋体に形成された貫通孔上に前記島部を形成するキャップ体が設けられ、前記キャップ体の内側に前記静電気除去部が設けられている構成であり、また、前記ネオン管は、前記貫通孔を跨ぐ状態で前記貫通孔上に配設されている構成である。
【考案の効果】
【０００５】
本考案によるデジタル機器用静電気防止機能付き多機能ケースは、以上のように構成されているため、次のような効果を得ることができる。
すなわち、蓋体の島部内にネオン管又はＬＥＤ等からなる静電気除去部が設けられているため、ケース内に収納された光ディスク又はＳＤメモリ（メモリカード）を帯電した静電気は静電気除去部で瞬間発光に変換されて除去され、パソコンに装着する光ディスク又はＳＤカード（メモリカード）等からの有害な静電気をなくし、パソコンへの静電気の有害な影響を除去し、パソコンの安全な操作に寄与することができる。
また、ネオン管等を用いているため、外部からの発光により静電気の除去を容易に確認することができる。
また、ＬＥＤによる静電気除去部が設けられているため、ネオン管を発光させるほどの静電気でない低レベルの静電気はＬＥＤで除去することができ、静電気の除去状態を容易に知ることができる。
また、光ディスクだけでなく、ＳＤカードの静電気も除去することができる。
【考案を実施するための最良の形態】
【０００６】
本考案は、収納された光ディスク又はＳＤカード等の樹脂で形成された記憶媒体に帯電する静電気を除去する静電気除去部を設けたデジタル機器用静電気防止機能付き多機能ケースを提供することを目的とする。
【実施例】
【０００７】
以下、図面と共に本考案によるデジタル機器用静電気防止機能付き多機能ケースの好適な実施の形態について説明する。
図１は、本考案のケースを閉状態として示す平面図であり、図２はケースを開状態とした断面図を示している。
【０００８】
図１及び図２において符号１で示されるものは、全体形状がほぼ平板状をなし蝶番２と係止部３を互いに対向して配設した本体部であり、この本体部１の蝶番２には蓋体４が開閉自在に設けられている。
前記本体部１のほぼ中央位置には、突出して形成されたディスク留め部５が形成され、このディスク留め部５にはＣＤ，ＤＶＤ等の光ディスク６が着脱自在に設けられている。
【０００９】
前記蓋体４の端部に設けられたフック７が前記係止部３に係止されることによって蓋体４が本体部１に係止されて閉状態となり、再度、蓋体４を本体部１側に押すと、フック７と係止部３の係止が解除されて蓋体４は開状態となる。
【００１０】
前記蓋体４には、そのほぼ中央位置に、円形をなす透明樹脂部１０が形成され、この透明樹脂部１０のほぼ中央位置には突出して形成された島部１１が形成されており、この島部１１の中央位置には透明窓１２が形成されている。
【００１１】
前記蓋体４の中央位置に形成された貫通孔１３上には、この貫通孔１３を覆う状態で前記島部１１を構成するためのキャップ体１１ａが設けられており、このキャップ体１１ａの中央位置には透明窓１２が形成されている。
【００１２】
前記キャップ体１１ａ内で前記貫通孔１３上には、この貫通孔１３を跨ぐ状態で周知の長手状のネオン管１４Ａからなる静電気除去部１４が設けられ、このネオン管１４の一方の電極１４ａは弾性導電体１５を介して前記光ディスク６に接触し、このネオン管１４の他方の電極１４ｂは導体１６を介してキャップ体１１ａの導電部１７は接続されている。
【００１３】
前記キャップ体１１ａには、前記静電気除去部１４としてのＬＥＤ１４Ｂが設けられ、このＬＥＤ１４Ｂは、図示しない検出回路によって前記光ディスク６に帯電した低レベルの静電気を検出し、ＬＥＤ１４Ｂにこの静電気を流し、ＬＥＤ１４Ｂの発光によって静電気が除去されるように構成されている。
【００１４】
前述の図１の他の形態として、図４に示されるように、図１及び図２のように、前記本体部１に光ディスク６を装着できる状態で、さらに、前記本体部１に形成された本体凹部２０内にＳＤカード（メモリカード）３０等を収容し、このＳＤカード（メモリカード）３０等に帯電した静電気は、前記光ディスク６を介して前記静電気除去部１４に伝わり静電気の除去が行われる。
【００１５】
前述の構成において、前記本体部１上は光ディスク６を装着すると、この光ディスク６に帯電した静電気は、蓋体４を閉とすることによって前記静電気除去部１４により除去され、ＳＤカード等の静電気も除去される。
また、静電気の除去は、ネオン管１４Ａ又はＬＥＤ１４Ｂの発光で確認することができ、光ディスク６の場合は、光ディスク６への静電気によるホコリの付着を防止し、パソコン本体の読取不良及び書込不良等を防止することができる。また、静電気を除去することにより、パソコン等の主要部品であるＩＣ・電子基板の故障を防ぐことができる。
【図面の簡単な説明】
【００１６】
【図１】本考案によるデジタル機器用静電気防止機能付き多機能ケースの閉状態を示す平面図である。
【図２】図１の蓋体を開状態とした時の断面図である。
【図３】図１の要部を示す拡大断面図である。
【図４】図２の要部の他の形態を示す拡大図である。
【符号の説明】
【００１７】
１    本体部
２    蝶番
３    係止部
４    蓋体
５    ディスク留め部
６    光ディスク
７    フック
１０    透明樹脂部
１１    島部
１１ａ    キャップ体
１２    透明窓
１３    貫通孔
１４    静電気除去部
１４Ａ    ネオン管
１４Ｂ    ＬＥＤ
１４ａ，１４ｂ    電極
１５    弾性導電体
１６    導体
１７    導電部
２０    本体凹部
３０    ＳＤカード
【図１】
0003137924.tif 000003
【図２】
0003137924.tif 000004
【図３】
0003137924.tif 000005
【図４】
0003137924.tif 000006